(57)【特許請求の範囲】
【請求項１】
Ｎ（Ｎは、２以上の整数）の燃焼位置を有するボイラを制御する制御器によって（Ｎ＋１）以上の燃焼位置を有するボイラを１台以上備えたボイラ群を制御するプログラムであって、
前記（Ｎ＋１）以上の燃焼位置を有するボイラは、制御対象がＮ以下となるように前記燃焼位置をグループ化した燃焼群を備え、
前記燃焼群ごとに制御するように構成されていることを特徴とするプログラム。
【請求項２】
請求項１に記載のプログラムであって、
前記燃焼群の少なくとも１つを、該燃焼群を構成する燃焼位置ごとに制御するように構成されていることを特徴とするプログラム。
【請求項３】
請求項１に記載のプログラムであって、
前記燃焼群の少なくとも１つを、１つの指示で制御するように構成されていることを特徴とするプログラム。
【請求項４】
請求項１から請求項３のいずれか１項に記載のプログラムであって、
複数の燃焼位置をグループ化して前記燃焼群にする場合に、燃焼効率と応答性の少なくともいずれか一方が向上するように構成されていることを特徴とするプログラム。
【請求項５】
請求項４に記載のプログラムであって、
前記燃焼効率を向上させるために複数の燃焼位置をグループ化して前記燃焼群を構成したボイラのうち、該ボイラにおける燃焼群のうち最下位の低燃焼群の前記燃焼効率が最も高いボイラのなかから低燃焼優先ボイラの対象台数を設定し、
前記低燃焼優先ボイラの前記低燃焼群における燃焼を優先的に制御するように構成されていることを特徴とするプログラム。
【請求項６】
請求項１から請求項５のいずれか１項に記載のプログラムを備えることを特徴とする制御器。
【請求項７】
請求項６に記載の制御器を備えることを特徴とするボイラシステム。
【発明の詳細な説明】
【技術分野】
【０００１】
この発明は、複数のボイラからなるボイラ群を制御するプログラム、制御器及びボイラシステムに関する。
【背景技術】
【０００２】
周知のように、要求負荷に応じて蒸気を生成する際に、ムダな燃焼を抑制するとともに発停時のロスを削減するために、燃焼量を段階的に増減可能な複数のボイラからなるボイラ群において燃焼させるボイラ及びその燃焼位置を制御する技術が広く用いられている。
このように、複数のボイラを用いてボイラ群を構成する場合、各ボイラは燃焼位置の数が同一とされ、制御手段から各ボイラには燃焼位置の数に応じた制御信号を出力することが一般的であり、かかるボイラ群を制御するための技術が開示されている（例えば、特許文献１参照。）。
【先行技術文献】
【特許文献】
【０００３】
【特許文献１】特開平１０−２２７４０２号公報
【発明の概要】
【発明が解決しようとする課題】
【０００４】
しかしながら、複数のボイラ（例えば、四位置ボイラ）を用いてボイラ群を構成する場合、いずれかのボイラの燃焼位置数、燃焼効率、応答性が異なる等、特性が一定でない場合があり、燃焼位置ごとに制御することが、燃焼効率の高効率化や応答性を向上するうえで必ずしも好適でない場合があり、燃焼効率の高効率化や応答性の向上を効率的に行なうことが可能な技術が求められている。【０００５】
また、例えば、燃焼位置数、燃焼効率、蒸発量等が異なる複数の異種ボイラを用いてボイラ群を構成する場合などでは、制御手段（例えば、制御装置）が制御可能な数よりも多くの燃焼位置を備えたボイラが含まれる可能性があり、そのような場合、制御手段は各燃焼位置を個別に制御できないためボイラ群の運転が困難となる。また、燃焼位置数が多くなると制御が複雑となり、各燃焼位置を個別に制御すると制御手段の負荷が高くなるために、多くの燃焼位置を制御負荷を軽減しながら効率的に制御するための技術が求められている。【０００６】
本発明は、このような事情を考慮してなされたものであり、簡単な構成の制御手段を用いて、ボイラ群を構成するボイラの蒸発量の増減を効率的に制御することが可能なボイラ群を制御するプログラム、制御器及びボイラシステムを提供することを目的とする。
【課題を解決するための手段】
【０００７】
上記課題を解決するために、この発明は以下の手段を提案している。
請求項１に記載の発明は、Ｎ（Ｎは、２以上の整数）の燃焼位置を有するボイラを制御する制御器によって（Ｎ＋１）以上の燃焼位置を有するボイラを１台以上備えたボイラ群を制御するプログラムであって、制御対象がＮ以下となるように前記燃焼位置をグループ化した燃焼群を備え、前記燃焼群ごとに制御するように構成されていることを特徴とする。
【０００８】
請求項６に記載の発明は、制御器であって、請求項１から請求項５のいずれか１項に記載のプログラムを備えることを特徴とする。
【０００９】
請求項７に記載の発明は、ボイラシステムであって、請求項６に記載の制御器を備えることを特徴とする。
【００１１】
この発明に係るプログラム、制御器、ボイラシステムによれば、ボイラ群を構成するボイラのうち（Ｎ＋１）以上の燃焼位置を有するボイラについて、複数の燃焼位置をグループ化して少なくとも１の燃焼群を設定し、この燃焼群を設定する際に、制御対象をＮ以下とし、このボイラにおける燃焼量の増減を、燃焼群及びグループ化されていない燃焼位置ごとに制御する。その結果、Ｎの燃焼位置に対応する信号を出力する制御器を用いてボイラ群を容易かつ効率的に制御することができる。
【００１２】
この明細書において、燃焼群ごとに制御するとは、燃焼群を構成しているグループ化された燃焼位置を燃焼群ごとに括って制御することであり、蒸発量を増加する際には燃焼群の最下位の燃焼位置が燃焼して最上位の燃焼位置に移行して最上位の燃焼位置でも蒸発量が不足するまでは燃焼群内で燃焼位置を移行し、蒸発量を減少する際にはこの燃焼群の最上位の燃焼位置まで優先順位が繰り下がって最下位の燃焼位置に移行して最下位の燃焼位置でも蒸発量も過剰となるまでは燃焼群の中で燃焼位置を移行することを意味しており、燃焼群内の最下位と最上位の燃焼位置間を移行している間は他の燃焼群又は他の燃焼位置に移行することはない。【００１３】
また、燃焼群ごとの制御に関しては、
（１）燃焼群の中のそれぞれの燃焼位置を上位又は下位に移行させる際に、燃焼位置を個別に制御すること。（この場合、制御対象は、燃焼群を構成する燃焼位置の数である。）
（２）燃焼群への移行を１つの指示（例えば、制御器としては１つの制御信号を出力することとなり、制御対象は１つである）で制御すること。
の場合があり、
１つの指示で燃焼群を制御する場合、以下の１）、２）に分類される。
１）下位の燃焼位置から上位の燃焼位置に順次燃焼
（例えば、四位置ボイラで低燃焼位置、中燃焼位置をグループ化して１つの燃焼群とした場合に、低燃焼位置から中燃焼位置に順次自動的に移行するための条件（例えば、蒸発量を供給するまでのタイムラグ、圧力、温度、その他）を予め設定し、その条件を満足した場合に、制御手段（例えば、制御器）からの指示によらずに上位の燃焼位置に自動的に移行）
２）燃焼群を構成する燃焼位置を実質的に同時に燃焼
（例えば、四位置ボイラで低燃焼位置、中燃焼位置を燃焼群にグループ化した場合、低燃焼位置と中燃焼位置をほぼ同時に燃焼開始）【００１４】
ボイラ群の制御においては、１）すべての燃焼群の中を燃焼位置ごとに制御するとともにグループ化していない燃焼位置を燃焼位置ごとに制御する場合、２）いずれか（１つ又は複数）の燃焼群の中を燃焼位置ごとに制御するとともに残りの燃焼群を１つの指示で制御し、グループ化していない燃焼位置を燃焼位置ごとに制御する場合、３）すべての燃焼群を１つの指示で制御し、グループ化していない燃焼位置を燃焼位置ごとに制御する場合、がある。また、すべての燃焼位置がいずれかの燃焼群にグループ化される場合がある。【００１５】
その結果、燃焼群における燃焼を上位又は下位の燃焼位置に移行する際に、例えば、各ボイラを特性上の優位な燃焼位置までを燃焼群とし、燃焼群を構成する燃焼位置を個別に制御し、優位な燃焼位置に移行された後、その状態を維持して次のボイラの燃焼に容易に移行することができる。
また、燃焼群の中の燃焼位置を１つの指示で上位又は下位に移行させる場合には、燃焼位置よりも少ない数の指示によって容易、かつ効率的にボイラ群を制御することができる。また、制御器の負担を軽減することができる。【００１９】
請求項２に記載の発明は、請求項１に記載のプログラムであって、前記燃焼群の少なくとも１つを、該燃焼群を構成する燃焼位置ごとに制御するように構成されていることを特徴とする。
【００２１】
この発明に係るプログラムによれば、複数の燃焼位置から構成される燃焼群の少なくとも１つを、この燃焼群を構成する燃焼位置ごとに制御するので、それぞれの燃焼位置に応じた燃焼量を増減することができる。
【００２２】
請求項３に記載の発明は、請求項１に記載のプログラムであって、前記燃焼群の少なくとも１つを、１つの指示で制御するように構成されていることを特徴とする。
【００２４】
この発明に係るプログラムによれば、複数の燃焼位置から構成される燃焼群の少なくとも１つを、１つの指示で制御するので、容易かつ効率的に燃焼群を制御することができる。
【００２５】
請求項４に記載の発明は、請求項１から請求項３のいずれか１項に記載のプログラムであって、複数の燃焼位置をグループ化して前記燃焼群にする場合に、燃焼効率と応答性の少なくともいずれか一方が向上するように構成されていることを特徴とする。
【００２７】
この発明に係るプログラムによれば、燃焼効率と応答性の少なくともいずれか一方が向上するようにグループ化するので、燃焼効率と応答性の少なくとも１つの向上を容易かつ効率的に行なうことができる。
【００２８】
請求項５に記載の発明は、請求項４に記載のプログラムであって、前記燃焼効率を向上させるために複数の燃焼位置をグループ化して前記燃焼群を構成したボイラのうち、該ボイラにおける燃焼群のうち最下位の低燃焼群の前記燃焼効率が最も高いボイラのなかから低燃焼優先ボイラの対象台数を設定し、前記低燃焼優先ボイラの前記低燃焼群における燃焼を優先的に制御するように構成されていることを特徴とする。
【００３０】
この発明に係るプログラムによれば、複数の燃焼位置をグループ化して燃焼群を構成し、低燃焼群の燃焼効率が最も高いボイラのなかから、ボイラ群の燃焼量を増加する際に低燃焼群がそのなかで最も上位の燃焼位置まで移行したらその状態を維持して燃焼制御の対象を他のボイラに移行するように構成された低燃焼優先ボイラにつき、その対象台数を設定してこの低燃焼優先ボイラを低燃焼群において優先的に燃焼させることで、ボイラ群の燃焼効率を向上させることができる。
【発明の効果】
【００３１】
この発明に係るプログラム、制御器、ボイラシステムによれば、簡単な構成の制御手段を用いて、ボイラ群を構成するボイラの蒸発量の増減を効率的に制御することができる。
【図面の簡単な説明】
【００３２】
【図１】本発明の第１の実施形態に係るボイラシステムの概略構成を示す図である。
【図２】第１の実施形態に係るボイラ群の概略構成を説明する図である。
【図３】第１の実施形態に係るボイラ群を構成する各ボイラの特性の一例を説明する図である。
【図４】第１の実施形態のボイラ群に係る燃焼位置及び燃焼群の燃焼の優先順位の一例を示す図である。
【図５】第１の実施形態に係るプログラムの動作手順の一例を示すフロー図である。
【図６】第１の実施形態に係るプログラムを説明する図であり、（Ａ）は動作手順を示すフロー図の一例を、（Ｂ）は燃焼位置の移行を示す概略図である。
【図７】第１の実施形態に係るプログラムを説明する図であり、（Ａ）は動作手順を示すフロー図の一例を、（Ｂ）は燃焼位置の移行を示す概略図である。
【図８】第１の実施形態に係るプログラムを説明する図であり、（Ａ）は動作手順を示すフロー図の一例を、（Ｂ）は燃焼位置の移行を示す概略図である。
【図９】第１の実施形態に係るボイラシステムの動作を説明する図である。
【発明を実施するための形態】
【００３３】
以下、図１から図９を参照し、この発明の第１の実施形態について説明する。
図１は、本発明に係るボイラシステムの第１の実施形態を示す図であり、符号１はボイラシステムを示している。
【００３４】
ボイラシステム１は、図１に示すように、複数のボイラから構成されるボイラ群２と、制御部（制御器）４と、スチームヘッダ６と、スチームヘッダ６内の蒸気の圧力（蒸発量と対応する物理量）を検出する圧力センサ７とを備え、ボイラ群２で発生させた蒸気を蒸気使用設備１８に供給するようになっている。
この実施形態において、要求負荷は、蒸気使用設備１８における消費蒸気量と対応する蒸発量であり、前述の圧力センサ７により検出したスチームヘッダ６内の蒸気の圧力に基づいてボイラ群２の蒸発量を制御するようになっている。
【００３５】
この実施形態において、差分蒸発量とは、ボイラを一段階上位の燃焼位置に移行した場合に増加する蒸発量、すなわち、移行した後の燃焼位置の蒸発量と移行前の燃焼停止位置（又は燃焼位置）の蒸発量との差をいう。
また、一段階上位に移行して第N燃焼位置（Nは、１以上の整数）となることで増加する蒸発量を、「第N燃焼位置の差分蒸発量」、又は「第N差分蒸発量」といい、例えば、第ｊ−１番目（ｊは、自然数）の燃焼位置から第ｊ番目の燃焼位置に移行した場合に増加する蒸発量を「第ｊ燃焼位置の差分蒸発量」又は第ｊ差分蒸発量というものとする。
また、燃焼停止位置から第１燃焼位置に移行した場合に増加する蒸発量を「第１差分蒸発量」と、第１燃焼位置から第２燃焼位置に移行した場合に増加する蒸発量を「第２差分蒸発量」、第２燃焼位置から第３燃焼位置に移行した場合に増加する蒸発量を「第３差分蒸発量」という。
また、各ボイラが最高位燃焼位置で燃焼しているときの蒸発量を「定格蒸発量」と記載する場合がある。
【００３６】
ボイラ群２は、例えば、４台の蒸気ボイラから構成され、第１ボイラ２１と、第２ボイラ２２と、第３ボイラ２３と、第４ボイラ２４とを備えている。
各ボイラ２１、・・・、２４の燃焼位置及び燃焼群の構成は、図２に示すとおりであり、四角枠は各ボイラ２１、・・・、２４の燃焼位置を、第１ボイラ２１、第２ボイラ２２、第３ボイラ２３において二つの燃焼位置を括弧で括った部分は、二つの燃焼位置をグループ化して設定した燃焼群を示している。また、枠内の数字は各燃焼位置の差分蒸発量を示しており、＜  ＞内は定格蒸発量を示している。
【００３７】
第１ボイラ２１は、燃焼停止状態（燃焼停止位置）、低燃焼状態（第１燃焼位置）、中燃焼状態（第２燃焼位置）、高燃焼状態（第３燃焼位置）の４つの段階的な燃焼状態に制御可能な四位置ボイラとされており、第１差分蒸発量は６００（ｋｇ／ｈ）、第２差分蒸発量は６００（ｋｇ／ｈ）、第３差分蒸発量は１８００（ｋｇ／ｈ）とされ、定格蒸発量は３０００（ｋｇ／ｈ）とされている。
【００３８】
第２ボイラ２２は、燃焼停止状態（燃焼停止位置）、低燃焼状態（第１燃焼位置）、中燃焼状態（第２燃焼位置）、高燃焼状態（第３燃焼位置）の４つの段階的な燃焼状態に制御可能な四位置ボイラとされており、第１差分蒸発量は６００（ｋｇ／ｈ）、第２差分蒸発量は６００（ｋｇ／ｈ）、第３差分蒸発量は１８００（ｋｇ／ｈ）とされ、定格蒸発量は３０００（ｋｇ／ｈ）とされている。
【００３９】
第３ボイラ２３は、燃焼停止状態（燃焼停止位置）、低燃焼状態（第１燃焼位置）、中燃焼状態（第２燃焼位置）、高燃焼状態（第３燃焼位置）の４つの段階的な燃焼状態に制御可能な四位置ボイラとされており、第１差分蒸発量は７５０（ｋｇ／ｈ）、第２差分蒸発量は７５０（ｋｇ／ｈ）、第３差分蒸発量は１５００（ｋｇ／ｈ）とされ、定格蒸発量は３０００（ｋｇ／ｈ）とされている。
【００４０】
第４ボイラ２４は、燃焼停止状態（燃焼停止位置）、低燃焼状態（第１燃焼位置）、高燃焼状態（第２燃焼位置）の３つの段階的な燃焼状態に制御可能な三位置ボイラとされており、第１差分蒸発量は１５００（ｋｇ／ｈ）、第２差分蒸発量は１５００（ｋｇ／ｈ）とされ、定格蒸発量は３０００（ｋｇ／ｈ）とされている。
【００４１】
また、各ボイラ２１、・・・、２４は、例えば、図３に示すような特性を有している。図３において、「ｉ」、「ｊ」は、第ｉ（＝１、・・・、４）番目のボイラの第ｊ燃焼位置（ｊ＝１、・・・、４）に対応しており、「Ｊ」、「η」、「ｔ」は、各ボイラの「第ｊ燃焼位置の差分蒸発量」、「第ｊ燃焼位置で燃焼する場合の燃焼効率」、「第ｊ燃焼位置を目標として移行する場合の移行時間（第ｊ燃焼位置に移行する信号が出力されてから目標とする燃焼位置又は燃焼停止位置への移行が完了するまでの時間）ｔ」を示している。
【００４２】
また、ボイラ群２は、複数の燃焼位置をグループ化することにより構成された３つの燃焼群Ｇ１（１、２）、Ｇ２（１、２）、Ｇ３（１、２）を備えている。
この実施形態において、第ｉ番目のボイラの燃焼群を、便宜上、燃焼群Ｇｉ（ｊ１、ｊ２）（ここで、「ｊ１」はグループ化した燃焼群内の最下位の燃焼位置であり、「ｊ２」は最上位の燃焼位置である）で示している。
【００４３】
燃焼群Ｇ１（１、２）は、第１ボイラ２１の第１燃焼位置と第２燃焼位置をグループ化することにより構成された燃焼群であり、第１ボイラ２１において蒸発量が最下位の低燃焼群であるとともに、ボイラ群２における燃焼の優先順位が１位とされている。
【００４４】
以下、燃焼位置をグループ化して燃焼群を設定する場合に考慮する事項の一例を示す。この実施形態において、燃焼位置をグループ化して燃焼群を構成する場合、例えば、図３に示す各ボイラの特性に基づいて対象とする燃焼位置を検討し、燃焼群を手動で設定している。
【００４５】
燃焼群Ｇ１（１、２）を構成している（第１ボイラ２１の）第１燃焼位置は、蒸発量が６００（ｋｇ／ｈ）、燃焼効率ηが９６％、移行時間ｔが１８（ｓｅｃ）とされ、第２燃焼位置は、蒸発量が６００（ｋｇ／ｈ）、燃焼効率ηが９７％、移行時間ｔが８（ｓｅｃ）とされていて、蒸発量が小さく、ボイラ群２を構成する他のボイラ２２、２３、２４の対応する燃焼位置よりも燃焼効率η、移行時間ｔが優位である。
一方、第３燃焼位置は、蒸発量が１８００（ｋｇ／ｈ）、燃焼効率ηが９３％、移行時間ｔが１２（ｓｅｃ）と、第１燃焼位置、第２燃焼位置に比較して蒸発量が大きく、燃焼効率η、移行時間ｔが第２燃焼位置よりも劣位である。また、この第３燃焼位置における燃焼効率η、移行時間ｔは、低燃焼群を有する他のボイラ２２、２３の第２燃焼位置に比較しても劣位である。
【００４６】
すなわち、蒸発量に関して蒸発量が６００（ｋｇ／ｈ）と小さい第１燃焼位置と第２燃焼位置をグループ化して蒸発量の細かな制御を可能とし、かつ燃焼効率η、移行時間ｔに関して優位な第１燃焼位置及び第２燃焼位置をグループ化することが、優位な燃焼群の設定となるといえる。
また、燃焼群Ｇ１（１、２）は、第１燃焼位置、第２燃焼位置を個別に制御することにより細かな蒸発量の制御が可能とされ、燃焼効率η、移行時間ｔの双方がボイラ群２で最も優位であるため、ボイラ群２における燃焼の優先順位は１位とされている。
【００４７】
なお、上記の考慮事項は、ボイラ群２の運転状況等において、例えば、燃焼効率η、移行時間ｔのいずれを優位にするか又は双方を優位にするか等によって任意に変更可能な事項である。
【００４８】
また、燃焼群Ｇ２（１、２）は、第２ボイラ２２の第１燃焼位置と第２燃焼位置をグループ化することにより構成された燃焼群であり、第２ボイラ２２において蒸発量が最下位の低燃焼群であるとともに、ボイラ群２における燃焼の優先順位は２位とされている。
燃焼群Ｇ２（１、２）を設定する際に考慮される事項は、燃焼群Ｇ１（１、２）の場合に準じている。
【００４９】
また、燃焼群Ｇ２（１、２）は、制御部４からの１つの信号（指示）によって、燃焼群Ｇ２（１、２）を構成する第２ボイラ２２の第１の燃焼位置から第２の燃焼位置に移行する際に、例えば、圧力センサ７により検出される圧力が所定の圧力となり第１差分蒸発量が給蒸されたことを受けて第２の燃焼位置に自動的に（順次）移行するようになっている。
【００５０】
これは、例えば、燃焼群Ｇ２（１、２）による給蒸が、燃焼群Ｇ１（１、２）の場合のように細かな調整が必要とされず、第１燃焼位置から第２燃焼位置に条件を満足しつつ安定した燃焼位置の移行における制御部４の負荷を軽減するような場合に好適である。
【００５１】
また、燃焼群Ｇ３（１、２）は、第３ボイラ２３の第１燃焼位置と第２燃焼位置をグループ化することにより構成された燃焼群であり、第３ボイラ２３において蒸発量が最下位の低燃焼群であるとともに、ボイラ群２における燃焼の優先順位が３位とされている。
燃焼群Ｇ３（１、２）を設定する際に考慮される事項は、燃焼群Ｇ１（１、２）、燃焼群Ｇ２（１、２）の場合に準じている。
【００５２】
また、燃焼群Ｇ３（１、２）は、制御部４からの１つの信号によって、第１の燃焼位置から第２の燃焼位置に燃焼位置を移行する場合に、例えば、パージが完了して燃焼が可能になったことを受けて、第１の燃焼位置への移行と第２の燃焼位置への移行に係る、例えば、送風量の増加、バーナの燃焼開始等をほぼ同時に行うようになっている。
これは、燃焼群Ｇ３（１、２）による給蒸は、例えば、２４００（ｋｇ／ｈ）の蒸発量が第１ボイラ２１及び第２ボイラ２２によって確保されていて、燃焼群Ｇ３（１、２）によって１５００（ｋｇ／ｈ）の蒸発量を増加しても大きな影響が発生しにくく、制御を簡単にして制御部４の負荷を軽減するとともに、短時間で大きな蒸発量を増加させるような場合に好適である。
【００５３】
なお、この実施形態において、第４ボイラ２４は、第１燃焼位置、第２燃焼位置のいずれも燃焼群にグループ化されていない燃焼群を有さないボイラであり、それぞれの燃焼位置が個別に制御されるようになっている。
【００５４】
ボイラ群２の各ボイラ２１、・・・、２４の燃焼位置及び燃焼群の優先順位は、図４に示すとおりであり、＜  ＞内の数字はボイラ群２を構成する燃焼位置及び燃焼群を制御する際の優先順位を、又は各燃焼位置を表す枠内の数字は、グループ化されていない燃焼位置と燃焼群にグループ化された燃焼位置の優先順位を示している。
【００５５】
第１ボイラ２１、・・・、２４は、低燃焼位置又は低燃焼群における燃焼が、他の燃焼位置又は燃焼群における燃焼よりも高効率とされており、これら４台のボイラのうち、第１ボイラ２１、第２ボイラ２２、第３ボイラ２３は低燃焼群の燃焼効率が高く、第４ボイラ２４は低燃焼位置の燃焼効率が高く設定されている。
また、これらボイラ２１、・・・、２４のうち、第１ボイラ２１、第２ボイラ２２は低燃焼群を優先して燃焼させる低燃焼優先ボイラ（この実施形態においては、低燃焼優先ボイラの対象台数２台）として制御部４に設定されている。
この実施形態において、低燃焼優先ボイラの対象台数は、燃焼効率η及び移行時間ｔ（応答性）が優位になるように設定され、また、燃焼させる燃焼群及び燃焼位置の優先順位は、それに対応するように設定されている。
【００５６】
すなわち、ボイラ群２における燃焼位置及び燃焼群の燃焼は、低燃焼優先ボイラの対象である２台の第１ボイラ２１、第２ボイラ２２の低燃焼群Ｇ１（１、２）、Ｇ２（１、２）を燃焼させ、低燃焼群Ｇ１（１、２）、Ｇ２（１、２）の燃焼を維持し、低燃焼群Ｇ１（１、２）、Ｇ２（１、２）を超えた蒸発量が必要とされた場合に、次の第３ボイラ２３の低燃焼群Ｇ３（１、２）に移行して、その後、第１ボイラ２１及び第２ボイラ２２の高燃焼位置に移行するようになっている。
かかる構成によりにより、要求負荷が第１ボイラ２１、第２ボイラ２２、第３ボイラ２３の低燃焼群Ｇ１（１、２）、Ｇ２（１、２）、Ｇ３（１、２）の蒸発量の近傍であるときには、ボイラ群２は高効率燃焼が可能となる。
【００５７】
制御部４は、入力部４１と、メモリ４２と、演算部４３と、ハードディスク４４と、出力部４６と、通信線４７とを備え、入力部４１、メモリ４２、演算部４３、ハードディスク４４、出力部４６は通信線４７により相互にデータ等を通信可能に接続され、ハードディスク４４にはデータベース４５が格納されている。
【００５８】
入力部４１は、例えば、図示しないキーボード等のデータ入力機器を有していて設定等を演算部４３に出力可能とされるとともに、圧力センサ７、第１ボイラ２１、・・・、２４と信号線１３、信号線１６により接続され、圧力センサ７から入力された圧力信号及び第１ボイラ２１、・・・、２４から入力された信号（例えば、燃焼位置等の情報）を演算部４３に出力するようになっている。
【００５９】
出力部４６は、第１ボイラ２１、・・・、２４と信号線１４により接続され、演算部４３から出力された制御信号を第１ボイラ２１、・・・、２４に出力するようになっている。
この実施形態において、制御部４は、例えば、３台の四位置ボイラと１台の三位置ボイラに対する制御信号を出力可能に構成されている。
【００６０】
演算部４３は、メモリ４２の記憶媒体（例えば、ＲＯＭ）に格納されたプログラムを読み込んで実行し、要求負荷に対応する蒸発量の算出、ボイラ群２において燃焼させるボイラ及びその燃焼位置の組み合わせの選択を行い、その結果に基づき出力部４６を介して第１ボイラ２１、・・・、２４に制御信号を出力するようになっている。
【００６１】
データベース４５は、第１のデータベース４５Ａと、第２のデータベース４５Ｂとを備えている。
第１のデータベース４５Ａは、圧力信号（ｍＶ）と圧力Ｐ（ｔ）（Ｐａ）との関係を示すデータテーブルが数値データとして格納されており、圧力センサ７からの圧力信号（ｍＶ）に基づいてスチームヘッダ６内の圧力Ｐ（ｔ）が算出されるようになっている。
また、第２のデータベース４５Ｂは、例えば、各ボイラの燃焼位置の構成、各燃焼位置の差分蒸発量、定格蒸発量、各燃焼群と燃焼位置との対応（図２における燃焼群の括り）、各燃焼位置の優先順位（図３における枠内の数字）、ボイラ群２における燃焼位置及び燃焼群の優先順位（図４における＜  ＞内の数字）、各燃焼群を制御する場合の制御形態、燃焼位置を移行する際の制御圧力帯の設定圧力、燃焼群を移行する場合の最下位燃焼位置等の設定圧力Ｐが格納されている。
【００６２】
また、燃焼群ごとに制御する場合の制御形態は、
１）燃焼位置ごとに個別制御（第１の制御形態）
２）下位の燃焼位置から上位の燃焼位置に順次自動的に移行する制御（第２の制御形態）
３）燃焼群内の燃焼位置を実質的に同時に移行する制御（第３の制御形態）
のいずれに分類して格納されている。
【００６３】
第１の実施形態に係るプログラムは、メインルーチンと、第１サブルーチンと、第２サブルーチンと、第３サブルーチンとを備えており、第１サブルーチンは第１の制御形態に係る燃焼位置ごとの個別制御に、第２サブルーチンは第２の制御形態に係る順次自動的に移行する制御に、第３サブルーチンは第３の制御形態に係る燃焼群内の燃焼位置を実質的に同時に移行する制御に対応している。
【００６４】
メインルーチンは、スチームヘッダ６内の圧力Ｐ（ｔ）を取得し、圧力Ｐ（ｔ）と蒸発量（要求負荷）と対応する設定圧力とを比較して、圧力Ｐ（ｔ）が所定の制御圧力帯の範囲となるように燃焼位置又は燃焼群を制御するように構成されている。
【００６５】
ボイラ群２の制御において、メインルーチンの実行は、スチームヘッダ６内の圧力Ｐ（ｔ）を所定範囲とすることを含んでいるが、便宜のため、ここでは圧力Ｐ（ｔ）を考慮せずに優先順位Ｋ（この実施形態においてＫは、１から１１）の燃焼位置を目標として蒸発量を増加しながら移行する場合のメインルーチンの動作について説明する。
なお、燃焼群を制御する場合、第２の制御形態に係る燃焼群を順次移行する燃焼群、及び第３の制御形態に係る燃焼位置を同時移行するに燃焼群については、燃焼群の最上位の燃焼位置以外の優先順位Ｋの燃焼位置の目標として設定できないようになっている。
【００６６】
１）まず、ボイラ群のグループ化されていない燃焼位置及び燃焼群を構成する燃焼位置に、優先順位と対応する変数ｋ（ｋは、自然数）を付して初期値（＝１）を設定するとともに、変数ｋの目標（目標とする燃焼位置の優先順位）Ｋを設定する（Ｓ１０１）。
２）ボイラ群２が運転中かどうかを判断する（Ｓ１０２）。
ボイラ群２が運転中の場合にはＳ１０３に移行し、運転が停止している場合にはプログラムを終了する。
３）圧力センサ７の圧力信号を、第１のデータベース４５Ａを参照してスチームヘッダ６内の圧力Ｐ（ｔ）を取得する（Ｓ１０３）。
４）ｋをＫと比較する（Ｓ１０４）。
ｋ＜Ｋの場合にはＳ１０５に移行し、ｋ＜Ｋでない場合にはＳ１０２に移行する。
５）１段階上位に移行する対象がグループ化されていない燃焼位置であるかどうかを判断する（Ｓ１０５）。対象がグループ化されていない燃焼位置である場合にはＳ１０６に移行し、対象が燃焼群である場合にはＳ１０８に移行する。
６）燃焼位置を１段階上位に移行する信号を出力する（Ｓ１０６）。
信号を出力したらＳ１０７に移行する。
７）ｋに１を加算する（Ｓ１０７）。
ｋに１加算したら、Ｓ１０２に移行する。
８）燃焼群の制御形態が第１の制御形態かどうかを判断する（Ｓ１０８）。
制御形態が第１の制御形態の場合にはＳ１１０に移行し、制御形態が第１の制御形態以外の場合にはＳ１１１に移行する。
９）第１サブルーチンを実行して、制御対象である燃焼群の最上位の燃焼位置に移行する（Ｓ１１０）。第１サブルーチンが終了したらＳ１０７に移行する。
１０）燃焼群の制御形態が第２の制御形態かどうかを判断する（Ｓ１１１）。
制御形態が第２の制御形態の場合にはＳ１２０に移行し、制御形態が第２の制御形態以外の場合にはＳ１３０に移行する。
１１）第２サブルーチンを実行して、制御対象の燃焼群の最上位の燃焼位置に移行する（Ｓ１２０）。第２サブルーチンが終了したらＳ１０７に移行する。
１２）第３サブルーチンを実行して、制御対象の燃焼群の最上位の燃焼位置に移行する（Ｓ１３０）。第３サブルーチンが終了したらＳ１０７に移行する。
上記２）から１２）を繰り返して実行する。
【００６７】
第１サブルーチンは、燃焼群を制御する場合に、燃焼位置を上位又は下位に移行させる制御信号をそれぞれの燃焼位置に対応して個別に出力するようになっており、例えば、図６（Ａ）に示すようなフロー図に基づいて構成されている。
以下、図６（Ａ）を参照して、第１サブルーチンを説明する。
【００６８】
１）燃焼群内の燃焼位置に優先順位と対応する変数ｊ（ｊは、自然数）を付して、初期値として制御対象の燃焼群における最下位燃焼位置の優先順位ｊ１を設定する（Ｓ１１）。
２）圧力Ｐ（ｔ）と、データベース４５Ｂに格納されている燃焼位置ｊに係る制御圧力帯と対応する設定値Ｐ（ｊ）とを比較し、上位の燃焼位置に移行するべきかどうかを判断する（Ｓ１２）。
圧力Ｐ（ｔ）が設定値Ｐ（ｊ）より小さく、上位に移行するべき場合にはＳ１３に移行し、圧力Ｐ（ｔ）が設定値Ｐ（ｊ）以上の場合にはＳ１２に移行する。
３）１段階上位の燃焼位置に移行する制御信号を出力する（Ｓ１３）。
４）ｊに１を加算する（Ｓ１４）。
５）ｊが、最上位燃焼位置と対応するｊ２であるかどうかを判定する（Ｓ１５）。
ｊ＜ｊ２ではなくｊがｊ２に到達している場合にはＳ１６に移行し、ｊ＜ｊ２でありｊがｊ２に到達していない場合にはＳ１２に移行し、Ｓ１５における判定がｊ＜ｊ２ではなくなりｊがｊ２に到達するまで、Ｓ１２からＳ１４を繰り返して実行する。
６）ｋに（ｊ２−ｊ１）（燃焼群における燃焼位置を移行した数より１小さい数）を加算して第１サブルーチンを終了する（Ｓ１６）。
【００６９】
その結果、図６（Ｂ）に示すように、各燃焼位置に対応する設定値Ｐ（ｊ）未満の圧力Ｐ（ｔ）が検出されるごとに燃焼位置を移行する制御信号が出力されて１段階上位の燃焼位置に移行する。
図６（Ｂ）における（１）から（４）は、燃焼群を構成する燃焼位置の燃焼状態（着色部が燃焼している燃焼位置）を示しており、矢印ＡはＳ１３において制御部４が制御信号を出力したことを表している。
【００７０】
第２サブルーチンは、対象の燃焼群を制御する場合に、制御部４が１つの制御信号を出力することにより、制御対象の燃焼群に移行し、燃焼群の最下位燃焼位置から最上位の燃焼位置に、各燃焼位置に係る設定条件を満足するごとに自動的に順次燃焼位置に移行するようになっており、例えば、図７（Ａ）に示すようなフロー図に基づいて構成されている。
【００７１】
なお、各燃焼位置の設定条件は、例えば、スチームヘッダ６の圧力、燃焼ガスの温度等の物理量からなり、圧力センサ７が検出した圧力や、温度センサ等の検出した温度等が各ボイラ２１、・・・、２４、又はボイラ群２に設けられた制御機器等に入力され、これら制御機器等で設定値を満足した場合に出力される信号によって自動的に上位の燃焼位置に移行するようになっており、制御部４から制御信号を出力することはなく、燃焼群の最上位燃焼位置への移行が終了した後に第２サブルーチンを終了するようになっている。
以下、図７（Ａ）を参照して、第２サブルーチンを説明する。
【００７２】
１）燃焼群内の燃焼位置に優先順位と対応する変数ｊ（ｊは、自然数）を付して、初期値として制御対象の燃焼群における最下位燃焼位置の優先順位ｊ１を設定する（Ｓ２１）。
２）１段階上位の燃焼位置に移行する信号を出力する（Ｓ２２）。
３）ｊに１を加算する（Ｓ２３）。
４）ｊが、最上位燃焼位置と対応するｊ２であるかどうかを判定する（Ｓ２４）。
ｊ＜ｊ２ではなくｊがｊ２に到達している場合にはＳ２６に移行し、ｊ＜ｊ２でありｊがｊ２に到達していない場合にはＳ２５に移行する。
５）移行された燃焼位置において所定の設定条件が満足されたことを示す信号入力があったらＳ２３に移行する（Ｓ２５）。
Ｓ２４における判定がｊ＜ｊ２ではなくなりｊがｊ２に到達するまで、Ｓ２５、Ｓ２３を繰り返して実行する。
６）ｋに（ｊ２−ｊ１）（燃焼群における燃焼位置を移行した数より１小さい数）を加算して第２サブルーチンを終了する（Ｓ２６）。
【００７３】
その結果、図７（Ｂ）に示すように、最下位の燃焼位置（ｊ１）が燃焼状態に移行した後、所定の設定条件を満足する後に上位の燃焼位置に移行する。
図７（Ｂ）における（１）から（４）は、燃焼群を構成する燃焼位置の燃焼状態（着色部が燃焼している燃焼位置）を示しており、矢印Ａは、制御対象の燃焼群に移行するために制御部４が制御信号を出力したことを、着色した矢印Ｂは、燃焼位置において所定の条件が満足され、上位の燃焼位置に自動的に順次行なわれる移行を表している。
【００７４】
第３サブルーチンは、対象の燃焼群を制御する場合に、制御部４が１つの制御信号を出力することにより、制御対象の燃焼群に移行するとともに制御対象燃焼群の最下位の燃焼位置から最上位の燃焼位置に実質的に同時に燃焼位置を移行させるようになっており、例えば、図８（Ａ）に示すようなフロー図に基づいて構成されている。
以下、図８（Ａ）を参照して、第３サブルーチンを説明する。
【００７５】
１）燃焼群内の燃焼位置に優先順位と対応する変数ｊ（ｊは、自然数）を付して、初期値として制御対象の燃焼群における最下位燃焼位置の優先順位ｊ１を設定する（Ｓ３１）。
２）最上位の燃焼位置に移行する信号を出力する（Ｓ３２）。
３）ｊに１を加算する（Ｓ３３）。
４）ｊが、最上位燃焼位置と対応するｊ２であるかどうかを判定する（Ｓ３４）。
ｊ＜ｊ２ではなくｊがｊ２に到達している場合にはＳ３５に移行し、ｊ＜ｊ２でありｊがｊ２に到達していない場合にはＳ３３に移行し、Ｓ３４における判定がｊ＜ｊ２ではなくなりｊがｊ２に到達するまで、Ｓ３３を繰り返して実行する。
５）ｋに（ｊ２−ｊ１）（燃焼群における燃焼位置を移行した数より１小さい数）を加算して第３サブルーチンを終了する（Ｓ３５）。
【００７６】
その結果、図８（Ｂ）に示すように、Ｓ３２において燃焼群内の最上位の燃焼位置に移行する信号が出力された後、燃焼群の最上位の燃焼位置に移行するようになっている。
図８（Ｂ）において示した（１）、（２）は、燃焼群を構成する燃焼位置の燃焼状態（着色部が燃焼している燃焼位置）を示しており、矢印Ａは、制御対象の燃焼群に移行するために制御部４が制御信号を出力したことを表している。
【００７７】
次に、図９を参照して、第１の実施形態に係るボイラシステム１の燃焼手順について説明する。
ボイラ群２は、蒸発量を増加する場合に、図４において＜１＞から＜８＞で示した優先順位に従って燃焼位置又は燃焼群を移行しながら蒸発量を増加する。
【００７８】
ここで、蒸発量を増加する場合に、燃焼群Ｇ１（１、２）は各燃焼位置を個別に制御可能とされる第１の制御形態とされ、Ｇ２（１、２）は、燃焼群内の燃焼位置が自動的に順次移行する第２の制御形態とされ、Ｇ３（１、２）は、燃焼群内の最下位の燃焼位置から最上位の燃焼位置に事実上同時に移行する第３の制御形態とされている。
【００７９】
また、第１ボイラ２１、第２ボイラ２２、第３ボイラ２３は、それぞれ最下位に位置する低燃焼群Ｇ１（１、２）、Ｇ２（１、２）、Ｇ３（１、２）が燃焼効率ηが最も高い燃焼群とされており、このうち第１ボイラ２１、第２ボイラ２２の２台は、ボイラ群２において、低燃焼群の燃焼効率が最も高いボイラのうち低燃焼群を優先的に燃焼させる低燃焼優先ボイラの対象台数とされている。図９においてハッチングで示す部分が低燃焼群を優先的に燃焼させる部分である。
【００８０】
１）まず、制御部４が、優先順位＜１＞の燃焼群Ｇ１（１、２）を燃焼させる制御信号を出力し、図９（Ａ）に示すように燃焼群Ｇ１（１、２）のうち第１ボイラ２１の第１燃焼位置を燃焼させる。
ここで、燃焼群Ｇ１（１、２）、燃焼群Ｇ２（１、２）は、上述のように低燃焼ボイラの対象とされている。
２）次に、蒸発量の増加に対応して、制御部４が、図９（Ｂ）に示すように燃焼群Ｇ１（１、２）のうち第１ボイラ２１の第２燃焼位置を燃焼させる。
３）次いで、制御部４が燃焼群Ｇ２（１、２）を燃焼させる制御信号を出力する。
その結果、図９（Ｃ）に示すように、燃焼群Ｇ２（１、２）が燃焼状態に移行する。
図９（Ｃ）においては、燃焼位置の移行をまとめて示しているが、燃焼群Ｇ２（１、２）における燃焼状態の移行では第２ボイラ２２の第１燃焼位置が燃焼状態に移行したことを受けて第２燃焼位置に自動的に順次燃焼状態が移行する。
４）次に、制御部４が、優先順位＜３＞の燃焼群Ｇ３（１、２）を燃焼させる制御信号を出力する。
その結果、例えば、第３ボイラ２３においてパージ等が終了すると、図９（Ｄ）に示すように、第１燃焼位置及び第２燃焼位置が実質的に同時に燃焼状態に移行する。
５）次に、制御部４は、図９（Ｅ）に示すように、優先順位＜４＞の第１ボイラ２１の第３燃焼位置に移行する制御信号を出力し、第１ボイラ２１の第３燃焼位置を燃焼状態とする。
６）次に、制御部４は、図９（Ｆ）に示すように、優先順位＜５＞の第４ボイラ２４の第１燃焼位置に移行する制御信号を出力し、第４ボイラ２４の第１燃焼位置を燃焼状態とする。
７）次に、制御部４は、図９（Ｇ）に示すように、優先順位＜６＞の第２ボイラ２２の第３燃焼位置に移行する制御信号を出力し、第２ボイラ２２の第３燃焼位置を燃焼状態とする。
８）次に、制御部４は、図９（Ｈ）に示すように、優先順位＜７＞の第３ボイラ２３の第３燃焼位置、優先順位＜８＞の第４ボイラ２４の第２燃焼位置に移行する制御信号を出力し、第３ボイラ２３の第３燃焼位置、第４ボイラ２４の第２燃焼位置を適宜燃焼状態とする。図９（Ｈ）において示した破線の矢印は、矢印の順に燃焼状態が移行することを示している。
【００８１】
ボイラシステム１によれば、燃焼位置をグループ化して燃焼群を形成する場合に燃焼効率η及び移行時間ｔに関して優位にグループ化するので、燃焼効率及び応答性を容易かつ効率的に向上させることができる。
また、ボイラシステム１によれば、燃焼群Ｇ１（１、２）を構成する燃焼位置を個別に制御可能とされているので、燃焼群Ｇ１（１、２）の蒸発量を細かく増減することができる。
【００８２】
また、ボイラシステム１によれば、燃焼群Ｇ２（１、２）、燃焼群Ｇ３（１、２）においてそれぞれの燃焼位置を上位又は下位に移行させる際に、制御部４から１つの制御信号を出力して蒸発量の増減が可能とされ、容易かつ効率的に燃焼群を構成している燃焼位置の燃焼を制御することができる。
【００８３】
また、燃焼群Ｇ２（１、２）のように、第２の制御形態において制御部４から１つの制御信号を出力し、圧力等、所定の条件を満足した場合に自動的に順次上位の燃焼位置に移行することによって、所定条件に基づいて燃焼位置を１段階上位（又は下位に）に移行することで、容易かつ効率的に燃焼群を構成する燃焼位置を制御することができる。
また、第２の制御形態による制御を行なうことにより、燃焼位置を安定して移行することができる。
【００８４】
また、例えば、燃焼群Ｇ３（１、２）を制御する場合のように、制御部４から１つの制御信号を出力して燃焼群内の燃焼位置を最下位から最上位に実質的に同時（又はほぼ同時に）移行することにより、燃焼群をひとつの燃焼位置のように制御することが可能となり、容易かつ効率的に大きな蒸発量を短時間で確保することができる。
【００８５】
また、制御部４からの制御信号の出力数を減少することが可能となり、燃焼群を構成している燃焼位置を容易かつ効率的に制御することができる。その結果、例えば、制御部４の出力数よりも多くの燃焼位置を備えたボイラが燃焼群の中に存在する場合でも、ボイラ群を制御することが可能である。
【００８６】
ボイラシステム１によれば、燃焼群Ｇ１（１、２）、燃焼群Ｇ２（１、２）の燃焼が開始された後はこれら燃焼群内の燃焼位置を移行する範囲で他のボイラの燃焼が開始されることがないのでボイラ群２としての発停が抑制されて、応答性を向上することができる。
【００８７】
また、ボイラシステム１によれば、ボイラ群２の燃焼量を増加する際に、低燃焼優先ボイラ（２台）である第１ボイラ２１、第２ボイラ２２の低燃焼群を優先的に燃焼させるので、２４００（ｋｇ／ｈ）までの蒸発量において高い燃焼効率を確保することができる。また、低燃焼優先ボイラの対象ではないが、優先順位が低燃焼優先ボイラの低燃焼群に次ぐ第３ボイラ２３の低燃焼群を燃焼させて３９００（ｋｇ／ｈ）の蒸発量で燃焼する場合にも高い燃焼効率を確保することができる。
以上のように、燃焼位置をグループ化して燃焼群を構成しているので高効率燃焼位置を容易かつ効率的に設定することができる。
【００８８】
また、第１の実施形態に係るプログラムによれば、第１サブルーチン、第２サブルーチン、第３サブルーチンを有しているので、ボイラ群２の構成、運転状況に応じて適切な運転動作を容易に設定することができる。
【００８９】
なお、本発明は、上記実施の形態に限定されるものではなく、発明の趣旨を逸脱しない範囲において、種々の変更をすることが可能である。
例えば、上記実施の形態においては、ボイラシステム１を構成するボイラ群２が、３台の四位置ボイラと、１台の三位置ボイラとから構成される場合について説明したが、ボイラ群２を形成するボイラの構成、及びボイラの台数は任意に設定することができる。その場合に、ボイラ群２を形成するボイラの燃焼位置数、蒸発量等の構成がすべて同一でもよいことはいうまでもない。
また、ボイラ群２を構成するボイラのうちの一部が、故障、修理等により計画停止されている場合に稼動可能な一部のボイラを対象として燃焼制御してもよい。
【００９０】
また、上記実施の形態においては、３台の四位置ボイラ２１、２２、２３の低燃焼群Ｇ１（１、２）、Ｇ２（１、２）、Ｇ３（１、２）が複数の燃焼位置から構成されるとともに、低燃焼群Ｇ１（１、２）、Ｇ２（１、２）、Ｇ３（１、２）が最も燃焼効率ηが高い燃焼群である場合について説明したが、例えば、最下位燃焼位置と最上位燃焼位置の間に複数の中位燃焼位置が設定されている場合に、最上位燃焼位置と一以上の中位燃焼位置をグループ化して高燃焼群を構成し、又は複数の中位燃焼位置をグループ化して中位燃焼群を構成してもよいし、中位燃焼群を設定する場合に複数の中位燃焼群を設定してもよい。
【００９１】
また、低燃焼群に代えて、高燃焼群、中位燃焼群のいずれを高効率燃焼群としてもよいし、グループ化されていない燃焼位置の燃焼効率を最も高効率としてもよい。
また、ボイラ群を構成する場合に、例えば、低燃焼群、中位燃焼群、高燃焼群を有するボイラを任意に組み合わせてもよく、かかる場合に、低燃焼群、中位燃焼群、高燃焼群のいずれの燃焼効率を最も高効率としてもよいし、各ボイラにおける燃焼効率が最も高効率とされる燃焼群、又は燃焼位置を、低燃焼群、中位燃焼群、高燃焼群、又はグループ化されていない燃焼位置のなかから任意に選択することも可能である。
【００９２】
また、上記実施の形態においては、制御部４がボイラ群２において最も燃焼位置が多い四位置ボイラに対しての制御信号を出力可能な場合について説明したが、例えば、制御器が、Ｎの燃焼位置に対する出力しか有さず、ボイラ群２のなかに（Ｎ＋１）以上の燃焼位置を有するボイラが存在する場合に、この（Ｎ＋１）以上の燃焼位置をグループ化し、グループ化されていない燃焼位置と燃焼群の合算した数をＮ以下とすることで、上記制御器を用いて（Ｎ＋１）以上の燃焼位置を有するボイラの制御可能に構成してもよい。
【００９３】
また、上記実施の形態においては、蒸発量と対応する物理量としてスチームヘッダ６内の蒸気の圧力Ｐ（ｔ）を用いて蒸発量を制御する場合について説明したが、圧力Ｐ（ｔ）に代えて蒸気使用設備１８における蒸気の使用量等、蒸発量又は蒸発量と対応する他の物理量を用いて蒸発量を制御してもよい。
【００９４】
上記実施の形態においては、燃焼効率ηと移行時間ｔの双方を優位とするように燃焼位置のグループ化をして燃焼群を設定する場合について説明したが、燃焼効率ηと移行時間ｔのいずれか一方のみを優位とする燃焼群を構成してもよいし、また、他の特性を優位とするように燃焼群を設定してもよい。
また、燃焼群の設定に際して、燃焼効率η及び移行時間ｔのいずれもが向上しない構成としてもよいことはいうまでもない。
【００９５】
また、この発明に係るプログラムの概略構成の一例を、図５から図８にフロー図として示したが、上記フロー図以外の方法（アルゴリズム）を用いてプログラムを構成してもよいことはいうまでもない。
【００９６】
また、上記実施の形態においては、プログラムが、メインルーチンと、第１サブルーチンと、第２サブルーチンと、第３サブルーチンとを備える場合について説明したが、これらサブルーチンの一部のみを備えた構成としてもよい。
【００９７】
また、上記実施の形態においては、燃焼群の設定を手動で予め行なう場合について説明したが、プログラム等のソフトウェアを用いて燃焼群の自動設定を行ってもよい。
また、上記実施の形態においては、プログラムを実行することで予め定義された燃焼群が制御される場合について説明したが、例えば、継電器、配線等のハードウェア手段を用いて燃焼群を構成してもよい。
【００９８】
また、上記実施の形態においては、本発明に係る制御をプログラムによって行なう場合について説明したが、プログラムによらずオペアンプ等を用いたアナログ制御によって行なってもよいことは当然である。また、かかる場合に、ボイラ群２の運転状態等を考慮して、蒸発量、優先順位等の変更に際して燃焼群のグループ化を行なってもよい。
また、上記ボイラ群の制御方法の実行に際して、例えば、調圧器等の機械的な手段を一部又は全部に用いてもよい。
【００９９】
また、第２サブルーチンにおいて燃焼位置を上位に移行する際の条件について、例えば、予め設定した蒸発量を供給するまでのタイムラグ、圧力（スチームヘッダ以外の圧力を含む）、温度（蒸気の温度の他、燃焼ガスの温度等を含む）等、蒸発量又は蒸発量と対応可能な上記以外の種々の指示に基づいて上位の燃焼位置に移行する構成してもよい。
また、第２サブルーチンにおいて、燃焼位置を上位に移行する際の出力を、ボイラ群２又はボイラに設けた制御器により行なってもよい。
【０１００】
また、上記実施の形態においては、プログラムを格納するための記憶媒体がＲＯＭである場合について説明したが、ＲＯＭ以外にも、例えば、ＥＰ−ＲＯＭ、ハードディスク、フレキシブルディスク、光ディスク、光磁気ディスク、ＣＤ−ＲＯＭ、ＣＤ−Ｒ、磁気テープ、不揮発性のメモリカードなどを用いてもよい。また、演算部が読出したプログラムを実行することにより上記実施形態の作用が実現されるだけでなく、そのプログラムの指示に基づき、演算部で稼働しているＯＳ（オペレーティングシステム）などが実際の処理の一部または全部を行い、その処理によって上記実施形態の作用が実現される場合も含まれる。さらに、記憶媒体から読出されたプログラムが、演算部に挿入された機能拡張ボードや演算部に接続された機能拡張ユニットに備わるメモリに書込まれた後、そのプログラムの指示に基づき、その機能拡張ボードや機能拡張ユニットに備わるＣＰＵなどが実際の処理の一部または全部を行い、その処理によって前述した実施形態の作用が実現される場合も含まれることはいうまでもない。
【産業上の利用可能性】
【０１０１】
簡単な構成の制御手段を用いて、ボイラ群を構成するボイラの蒸発量の増減を効率的に制御することができるので産業上利用可能である。 
【符号の説明】
【０１０２】
１  ボイラシステム
２  ボイラ群
４  制御部（制御器）
２１、２２、２３、２４、２５  ボイラ
【図１】
0005440607.tif 000002
【図２】
0005440607.tif 000003
【図３】
0005440607.tif 000004
【図４】
0005440607.tif 000005
【図５】
0005440607.tif 000006
【図６】
0005440607.tif 000007
【図７】
0005440607.tif 000008
【図８】
0005440607.tif 000009
【図９】
0005440607.tif 000010